(57)【要約】      （修正有）【課題】ノックが明るく澄んだ色あいとなり、従来のものにはない興趣感、高級感を醸し出すことができるノック式多色ペンを提供する。【解決手段】色の異なるペン芯を複数備え、軸筒からはみ出る芯繰り出し用ノックを選択的に押し下げ操作することにより所望の色のペン芯を出すタイプの多色ペンであって、ノック３が、外側に位置する有色透明の外側片５と内側に位置する白色不透明の内側片６との二層構造であることを特徴とする。【選択図】図２
0003183953.tif 000002
【実用新案登録請求の範囲】
【請求項１】
色の異なるペン芯を複数備え、軸筒からはみ出る芯繰り出し用ノックを選択的に押し下げ操作することにより所望のペン芯を出すタイプの多色ペンであって、前記ノックが、外側に位置する有色透明の外側片と内側に位置する白色不透明の内側片との二層構造であることを特徴とするノック式多色ペン。
【請求項２】
更にクリップが、外側に位置する有色透明の外側片と内側に位置する白色不透明の内側片との二層構造である、請求項１に記載のノック式多色ペン。
【請求項３】
前記外側片と前記内側片は、二色成形機により一体に成形される、請求項１又は２に記載のノック式ペン。
【請求項４】
前記外側片と前記内側片は個別に成形され、合接して一体化される、請求項１又は２に記載のノック式ペン。
【請求項５】
前記外側片と前記内側片の各合接面に、互いに密に係合し合う凹凸部が形成される、請求項４に記載のノック式多色ペン。
【考案の詳細な説明】
【技術分野】
【０００１】
本考案はノック式多色ペンに関するものであり、より詳細には、色の異なるペン芯を複数備え、軸筒から飛び出る芯繰り出し用ノックを選択的に押し下げ操作することにより所望のペン芯を突出させるタイプのノック式多色ペンに関するものである。
【背景技術】
【０００２】
色の異なるボールペン芯を複数備え、選択的に繰り出して使用するノック式多色ペンが広く出回っている。例えば、黒、赤を含む２色ペンを初め、更に、青、緑、オレンジ、ピンク等の異なる色のボールペン芯、あるいは、シャープペン芯を含む、種々の組み合わせのノック式多色ペンが商品化されている。
【０００３】
これらのノック式多色ペンにおいては、一般に、所望の色のボールペン芯を選択し、指先で操作して繰り出すためのノックが、軸筒の上部側面から突出するように設けられる。そのノックは各ペン芯ごとに設けられ、そのペン芯の色に対応する色とされる。このノックはプラスチック製であり、ペン芯と同じ色に成形する場合、その色は濃くくすんだ色となりがちで、明るい澄んだ色とはなりにくい。また、これを有色透明にした場合は、反対側のノックの色と混ざり合うために、きれいな色とはならない。  
【先行技術文献】
【特許文献】
【０００４】
【特許文献１】特開２０００−２３３５９６号公報
【特許文献２】特許第４２０１２９２号公報
【考案の概要】
【考案が解決しようとする課題】
【０００５】
上述したように、従来のノック式多色ペンにおける芯繰り出し用ノックは、ペン芯に対応する色に成形する場合、その色は濃くくすんだ色となりやすく、明るく澄んだ色合いのものとはなし得なかった。そこで本考案は、ノックが明るく澄んだ色あいとなり、従来のものにはない興趣感、高級感を醸し出すことができるノック式多色ペンを提供することを課題とする。
【課題を解決するための手段】
【０００６】
上記課題を解決するための請求項１に係る考案は、色の異なるペン芯を複数備え、軸筒からはみ出る芯繰り出し用ノックを選択的に押し下げ操作することにより所望のペン芯を出すタイプの多色ペンであって、前記ノックが、外側に位置する有色透明の外側片と内側に位置する白色不透明の内側片との二層構造であることを特徴とするノック式多色ペンである。
【０００７】
一実施形態においては、更にクリップが、外側に位置する有色透明の外側片と内側に位置する白色不透明の内側片との二層構造にされる。
【０００８】
前記外側片と前記内側片は二色成形機により一体に成形することができ、また、前記外側片と前記内側片は、個別に成形し、合接して一体化することもできる。また、前記外側片と前記内側片の各合接面に、互いに密に係合し合う凹凸部が形成されることもある。
【考案の効果】
【０００９】
本考案に係る多色ペンは上記のとおりのものであって、ノックが、外側に位置する有色透明の外側片と内側に位置する白色不透明の内側片との二層構造であるので、有色透明の外側片に対する内方側からの光透過がなく、以て、外側片の色が濁りのない澄んだきれいな色となって表れ、以て、従来の多色ペンにはない興趣感、高級感が醸し出される効果がある。
【図面の簡単な説明】
【００１０】
【図１】本考案に係るノック式多色ペンの外観例を示す斜視図である。
【図２】本考案に係るノック式多色ペンにおけるノックの構成例の縦断面図である。
【考案を実施するための形態】
【００１１】
本考案を実施するための形態につき、添付図面に依拠して説明する。図１は、本考案に係るノック式多色ペンの外観例を示す斜視図であり、その基本的構成は、一般のノック式多色ペンと特に変わるところはない。即ち、インクの色の異なる複数のペン芯を内装する軸筒１と、軸筒１の上端側面に形成された縦長孔２にスライド可能に配設されるノック３と、クリップ４とを備えて構成される。
【００１２】
本考案に係るノック式多色ペンの特徴は、ノック３が、外側に位置する有色透明の外側片５と内側に位置する白色不透明の内側片６との二層構造であるところにある（図２参照）。外側片５と内側片６は、二色成形機により一体に成形することができるが、外側片５と内側片６とを個別に成形し、後に合接して一体化することもできる。後者の場合は、外側片５と内側片６の接合を容易且つ確実にするために、外側片５と内側片６の各合接面に、互いに係合し合う凹凸部７、８を形成することが好ましい。その場合の外側片５と内側片６との合接は、凹凸部７、８の密な係合だけで足りるが、必要に応じ、接着剤を用いることとしてもよい。
【００１３】
外側片５は、それが取り付けられるペン芯に対応する色の透明樹脂製であり、一般のものと同様に、指掛け用の突部５ａを備える。また、内側片６は白色の不透明樹脂製であり、一般のものと同様に、端部にペン芯を嵌め付ける錐形部６ａを有すると共に、内方に突出する自動復帰用等の作用突部６ｂを備える。外側片５はペン芯の色数分必要となるが、内側片６は１種類で足りる。ノック３はこのような外側片５と内側片６とから成るものであるが、芯を繰り出すというノック本来の機能は、一般のものと変わりはない。
【００１４】
一実施形態においては、ノック３のみならず、更にクリップ４も、外側に位置する有色透明の外側片５と、内側に位置する白色不透明の内側片６との二層構造とされる。
【００１５】
本考案に係るノック式多色ペンは上記のとおりのものであって、ノック３が、外側に位置する有色透明の外側片５と、内側に位置する白色不透明の内側片６との二層構造であるため、有色透明の外側片５に対する内方側からの光透過が内側片６によって阻止され、且つ、白色の内側片６が外側片５の裏打ち材となって、外側片５の淡い色が濁りのない澄んだきれいな色となって表れる。従って、本考案に係るノック式多色ペンの場合は、従来の多色ペンにはない興趣感、高級感が得られる。
【００１６】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００１７】
１      軸筒
２      縦長孔
３      ノック
４      クリップ
５      外側片
５ａ    突部
６      内側片
６ａ    錐形部
６ｂ    作用突部
７、８    凹凸部
【図１】
0003183953.tif 000003
【図２】
0003183953.tif 000004